(57)【要約】【課題】ユーザの意図に沿った位置でフォーカス調整を行えるようにする。【解決手段】撮像装置において、カメラ制御部１１７は、ゾーンＡＦ（オートフォーカス）を利用するとき、ライブビュー画像に重畳してゾーンＡＦ枠３０１を表示し、カメラ操作部１１８での枠位置指定操作に応じてゾーンＡＦ枠３０１を移動させる。カメラ制御部１１７は、撮影準備指示があると、ＡＦを実行し、ゾーンＡＦ枠３０１内で焦点検出領域を決定する。カメラ制御部１１７は、カメラ操作部１１８でのマニュアルフォーカス操作が行われると、ライブビュー画像に重畳して、ゾーンＡＦ枠３０１内で決定した焦点検出領域にフォーカスガイド枠４０１を表示する。カメラ制御部１１７は、カメラ操作部１１８での枠位置指定操作に応じて、ゾーンＡＦ枠３０１内でフォーカスガイド枠４０１を移動させる。【選択図】図１
2020204673.tif 000002
【特許請求の範囲】
【請求項１】
撮影準備指示を受けて撮影準備処理を実行する撮像装置であって、
前記撮影準備指示がない状態で、第１の移動操作に応じて、撮像領域内で第１の焦点検出領域を移動させるように制御する第１の制御手段と、
前記撮影準備指示がある状態で、第２の移動操作に応じて、前記第１の焦点検出領域内で、前記第１の焦点検出領域よりも小さい焦点検出領域を移動させるように制御する第２の制御手段を備えたことを特徴とする撮像装置。
【請求項２】
前記撮影準備指示を受けてオートフォーカスを実行し、前記第１の焦点検出領域内で前記第２の焦点検出領域の初期位置を決定することを特徴とする請求項１に記載の撮像装置。
【請求項３】
前記第２の制御手段は、前記撮影準備指示を受けてオートフォーカスを実行した後、マニュアルフォーカス操作が行われるとき、前記第２の移動操作に応じて、前記第２の焦点検出領域を移動させるように制御することを特徴とする請求項２に記載の撮像装置。
【請求項４】
前記第２の制御手段は、前記撮影準備指示を受けて実行されるオートフォーカスが、前記第２の焦点検出領域に対して継続的に合焦し続けるオートフォーカスであるとき、前記第２の移動操作に応じて、前記第２の焦点検出領域を移動させるように制御することを特徴とする請求項２に記載の撮像装置。
【請求項５】
撮像素子で撮像したライブビュー画像を表示部に表示する第１の表示制御手段と、
前記第１の焦点検出領域を示す枠を前記ライブビュー画像に重畳して表示する第２の表示制御手段と、
前記第２の焦点検出領域を示す枠を前記ライブビュー画像に重畳して表示する第３の表示制御手段とを備えたことを特徴とする請求項１乃至４のいずれか１項に記載の撮像装置。
【請求項６】
前記第１の制御手段は、前記第１の焦点検出領域の位置を記憶手段に記憶するように制御することを特徴とする請求項１乃至５のいずれか１項に記載の撮像装置。
【請求項７】
前記第１の制御手段は、前記撮影準備指示が解除されたとき、前記記憶手段に記憶した位置に前記第１の焦点検出領域を位置させることを特徴とする請求項６に記載の撮像装置。
【請求項８】
前記第１の制御手段は、前記撮影準備指示が解除されたとき、前記第２の焦点検出領域の位置に応じて前記第１の焦点検出領域を位置させることを特徴とする請求項１乃至６のいずれか１項に記載の撮像装置。
【請求項９】
前記第２の移動操作はタッチパネルのタッチ操作であり、タッチ操作を相対位置指定とすることを特徴とする請求項１乃至８のいずれか１項に記載の撮像装置。
【請求項１０】
撮影準備指示を受けて撮影準備処理を実行する撮像装置の制御方法であって、
前記撮影準備指示がない状態で、第１の移動操作に応じて、撮像領域内で第１の焦点検出領域を移動させるステップと、
前記撮影準備指示がある状態で、第２の移動操作に応じて、前記第１の焦点検出領域内で、前記第１の焦点検出領域よりも小さい焦点検出領域を移動させるステップとを有することを特徴とする撮像装置の制御方法。
【請求項１１】
コンピュータを、請求項１乃至９のいずれか１項に記載された撮像装置の各手段として機能させるためのプログラム。
【請求項１２】
コンピュータを、請求項１乃至９のいずれか１項に記載された撮像装置の各手段として機能させるためのプログラムを格納したコンピュータが読み取り可能な記憶媒体。
【発明の詳細な説明】
【技術分野】
【０００１】
本発明は、撮像装置、その制御方法、プログラム及び記憶媒体に関する。
【背景技術】
【０００２】
デジタルスチルカメラやデジタルビデオカメラ等の撮像装置において、被写体に対して自動的にピント合わせを行うオートフォーカス後に、ユーザがマニュアルフォーカス操作を行ってピントを任意に変更できる機能が存在する。以下、オートフォーカスをＡＦ、マニュアルフォーカスをＭＦと記す。このような機能は、ＡＦ＋ＭＦ機能と呼ばれる。例えば特許文献１には、ＡＦ動作により被写体に合焦した後、使用者によるフォーカスリングの操作を受け付けて合焦位置を含む画像領域を拡大表示する構成が開示されている。
【０００３】
また、ＭＦ操作によるフォーカス調整を補助する目的で、例えば測距センサや複数の撮像センサによって計測した、撮像されている被写体の前ピン・後ピン状態やピントのずれ具合を表示する機能が存在する。このような表示機能は、フォーカスガイド機能と呼ばれる。例えば特許文献２には、ライブビュー画像を表示するとともに、該ライブビュー画像に重畳して、合焦度合いを示す表示アイテムを表示する構成が開示されている。具体的には、測距位置に対応する領域を示す枠を表示するとともに、その近傍に、合焦の度合いを示す複数の指標を表示することが記載されている。
【先行技術文献】
【特許文献】
【０００４】
【特許文献１】特開２０１０−１４１７６７号公報
【特許文献２】特開２０１６−１９７１８０号公報
【発明の概要】
【発明が解決しようとする課題】
【０００５】
ＡＦ＋ＭＦ機能におけるＭＦ操作をフォーカスガイド機能で補助するようにすれば、ユーザに好適なフォーカス操作環境を提供することができる。
ここで、ＡＦの一形態として、撮像領域のうちの一部の領域（例えば測距ゾーンと呼ばれる）で撮像装置が自動的に焦点検出領域を決定する、いわゆるゾーンＡＦがある。ゾーンＡＦでは、測距ゾーン内で自動選択ＡＦを行うので、１点ＡＦ等と比べて被写体を捉えやすく、例えば動きのある被写体を撮影するときに有効である。
しかしながら、ＡＦ＋ＭＦ機能にゾーンＡＦを利用する場合、測距ゾーン内で決定した焦点検出領域が、ユーザの意図に沿わない位置になることがある。ワンショットＡＦでは焦点検出領域が固定されるため、ユーザの意図に沿わない位置でフォーカスガイド機能による表示が行われ、その位置でＭＦ操作によるフォーカス調整を行うことになるという課題がある。
【０００６】
本発明は上記のような点に鑑みてなされたものであり、ユーザの意図に沿った位置でフォーカス調整を行えるようにすることを目的とする。
【課題を解決するための手段】
【０００７】
本発明の撮像装置は、撮影準備指示を受けて撮影準備処理を実行する撮像装置であって、前記撮影準備指示がない状態で、第１の移動操作に応じて、撮像領域内で第１の焦点検出領域を移動させるように制御する第１の制御手段と、前記撮影準備指示がある状態で、第２の移動操作に応じて、前記第１の焦点検出領域内で、前記第１の焦点検出領域よりも小さい焦点検出領域を移動させるように制御する第２の制御手段を備えたことを特徴とする。
【発明の効果】
【０００８】
本発明によれば、ユーザの意図に沿った位置でフォーカス調整を行うことが可能になる。
【図面の簡単な説明】
【０００９】
【図１】第１の実施形態に係る撮像装置の構成例を示すブロック図である。
【図２】第１の実施形態に係る撮像装置の撮影モード処理を説明するためのフローチャートである。
【図３】ゾーンＡＦ枠移動時のライブビュー画像の表示例を示す図である。
【図４】フォーカスガイド枠移動時のライブビュー画像の表示例を示す図である。
【図５】ゾーンＡＦ枠を再表示する際のライブビュー画像の表示例を示す図である。
【図６】ゾーンＡＦ枠を再表示する際のライブビュー画像の表示例を示す図である。
【図７】第２の実施形態に係る撮像装置の撮影モード処理を説明するためのフローチャートである。
【発明を実施するための形態】
【００１０】
以下、添付図面を参照して、本発明の好適な実施形態について説明する。
［第１の実施形態］
図１は、第１の実施形態に係るフォーカスガイド機能を有する撮像装置の構成例を示す図である。なお、本実施形態では、レンズ交換可能な撮像装置を説明するが、固定レンズを備えた撮像装置であってもよい。
図１に示すように、実施形態に係る撮像装置は、レンズユニット１００とカメラ本体１１０とを備える。カメラ本体１１０にレンズユニット１００が装着された状態で、撮像装置全体の動作を統括するカメラ制御部１１７と、レンズユニット１００の動作を統括制御するレンズ制御部１０６とがデータ通信する。
【００１１】
レンズユニット１００の構成について説明する。レンズユニット１００は、固定レンズ１０１、絞り１０２、フォーカスレンズ１０３、不図示のズームレンズ等により構成される撮像光学系を備える。絞り１０２は、絞り駆動部１０４によって駆動され、カメラ本体１１０の撮像素子１１１への入射光量を制御する。フォーカスレンズ１０３は、フォーカスレンズ駆動部１０５によって駆動され、焦点調節を行う。ズームレンズは、不図示のズームレンズ駆動部によって駆動され、ズームの調節を行う。
【００１２】
レンズ制御部１０６は、絞り駆動部１０４、フォーカスレンズ駆動部１０５、ズームレンズ駆動部を制御し、絞り１０２の開口径や、フォーカスレンズ１０３及びズームレンズの位置を制御する。レンズ操作部１０７に備えられたフォーカスリングやズームリング等によりフォーカスやズーム等のユーザ操作が行われると、レンズ制御部１０６はユーザ操作に応じた制御を行う。レンズ制御部１０６は、カメラ本体１１０のカメラ制御部１１７から受信した制御命令や制御情報に応じて、絞り駆動部１０４、フォーカスレンズ駆動部１０５、ズームレンズ駆動部の制御を行うとともに、レンズ情報をカメラ制御部１１７に送信する。
【００１３】
次に、カメラ本体１１０の構成について説明する。撮像素子１１１は、ＣＣＤやＣＭＯＳセンサにより構成され、レンズユニット１００の撮像光学系を通過した光束が撮像素子１１１の受光面上に結像される。撮像素子１１１のフォトダイオード（光電変換部）は、入射光量に応じた電荷に光電変換し、蓄積する。各フォトダイオードに蓄積された電荷は、カメラ制御部１１７の指令に従ってタイミングジェネレータ１１９から与えられる駆動パルスに基づいて、電荷に応じた電圧信号として撮像素子１１１から順次読み出される。また、撮像素子１１１は、通常の撮像信号の他に、位相差方式の焦点検出に用いることのできる一対のフォーカス用信号を出力する。
ＣＤＳ／ＡＧＣ回路１１２は、撮像素子１１１から読み出された撮像信号及びフォーカス用信号に対して、リセットノイズを除去するための相関二重サンプリング、ゲインの調節、信号のデジタル化を行う。ＣＤＳ／ＡＧＣ回路１１２は、処理した撮像信号をカメラ信号処理部１１３に、フォーカス用信号をフォーカス信号処理部１１４に出力する。
【００１４】
カメラ信号処理部１１３は、ＣＤＳ／ＡＧＣ回路１１２から出力された撮像信号に対して各種の画像処理を施して、映像信号を生成する。表示部１１５は、ＬＣＤや有機ＥＬ等の表示デバイスであり、カメラ信号処理部１１３から出力された映像信号に基づく画像を表示する。記録部１１６は、撮像信号の記録を行う記録モード時に、カメラ信号処理部１１３から出力された映像信号を、光ディスク、半導体メモリ、磁気テープ等の記録媒体に記録する。
フォーカス信号処理部１１４は、ＣＤＳ／ＡＧＣ回路１１２から出力された一対のフォーカス用信号に基づいて相関演算を行って焦点状態を検出する。ここでは、相関量、デフォーカス量、信頼性情報（二像一致度、二像急峻度、コントラスト情報、飽和情報、キズ情報等）を算出する。フォーカス信号処理部１１４は、算出したデフォーカス量と信頼性情報をカメラ制御部１１７に出力する。カメラ制御部１１７は、フォーカス信号処理部１１４から取得したデフォーカス量や信頼性情報に基づいて、これらを算出する設定の変更をフォーカス信号処理部１１４に通知する。
【００１５】
カメラ制御部１１７は、カメラ本体１１０内の各構成要素と情報をやり取りして制御を行う。また、カメラ制御部１１７は、カメラ本体１１０内の処理だけでなく、レンズユニット１００内のレンズ制御部１０６と情報をやり取りし、撮像光学系の制御命令や制御情報を送信し、レンズユニット１００内の情報を取得する。カメラ制御部１１７は、記憶媒体１２０に格納されたプログラムをメモリ１２１に展開して実行することにより、各種処理を実行し、本発明でいう第１、第２の制御手段及び第１〜３の表示制御手段として機能する。
カメラ操作部１１８は、ジョイスティックやコントロールリング、釦、表示部１１５に設けられたタッチパネル等により構成され、ユーザ操作を受け付ける。カメラ制御部１１７は、カメラ操作部１１８の操作に応じて、電源のＯＮ／ＯＦＦ、設定の変更、記録を制御する。また、カメラ制御部１１７は、カメラ操作部１１８の操作に応じて、オートフォーカス（ＡＦ）／マニュアルフォーカス（ＭＦ）制御の切り替え、記録映像の確認等のユーザ操作に応じた様々な機能を実行する。
【００１６】
以下、図２乃至図６を参照して、第１の実施形態に係る撮像装置が実行する処理を説明する。
本実施形態に係る撮像装置は、多枠測距の一つであるゾーンＡＦを実行することができる。ゾーンＡＦでは、撮像領域のうちの一部の領域である測距ゾーンで撮像装置が自動的に焦点検出領域を決定する。本実施形態では、ＡＦ＋ＭＦ機能にゾーンＡＦを利用し、ゾーンＡＦ後にＭＦ操作によりフォーカス調整するときに、測距ゾーン内で決定した焦点検出領域を移動可能にする例を説明する。
【００１７】
図２は、第１の実施形態に係る撮像装置の撮影モード処理を説明するためのフローチャートである。図２のフローチャートの処理は、カメラ制御部１１７が記憶媒体１２０に格納されたプログラムをメモリ１２１に展開して実行することにより実現される。また、図３乃至図６には、表示部１１５に表示されるライブビュー画像の表示例を示す。
ステップＳ２０１で、カメラ制御部１１７は、ライブビュー画像を表示する。ライブビュー画像とは、撮像素子１１１で撮像され、カメラ信号処理部１１３でライブビュー用の画像処理が施された映像信号に基づく画像であり、所定のフレームレートで逐次更新される。
ステップＳ２０２で、カメラ制御部１１７は、ライブビュー画像に重畳してＡＦ枠の表示を行う。本実施形態では、図３の左図に示すように、ライブビュー画像に重畳して、測距ゾーンを示すゾーンＡＦ枠３０１を表示する。ゾーンＡＦ枠３０１は、複数のＡＦ枠からなる。本実施形態では、測距ゾーンが本発明でいう第１の焦点検出領域に相当する。
【００１８】
ステップＳ２０３で、カメラ制御部１１７は、操作が行われたか否かを判定する。カメラ制御部１１７は、枠位置指定操作が行われていればステップＳ２０４に処理を進め、枠位置指定操作が行われていなければステップＳ２０６に処理を進める。
ステップＳ２０４で、カメラ制御部１１７は、図３に示すように、カメラ操作部１１８での枠位置指定操作に応じて、撮像領域内でゾーンＡＦ枠３０１を移動させる。ゾーンＡＦ枠３０１を移動させるときに、図３の右図に示すように、例えば移動前のゾーンＡＦ枠３０１を一定の時間だけ点線等で示すようにしてもよい。ゾーンＡＦ枠３０１を移動させる枠位置指定操作が本発明でいう第１の移動操作に相当し、例えばジョイスティックやコントロールリングによる釦操作、タッチパネルのタッチ操作等が挙げられるが、これに限られるものではない。
ステップＳ２０５で、カメラ制御部１１７は、移動後のゾーンＡＦ枠３０１の位置を記憶する。
【００１９】
ステップＳ２０６で、カメラ制御部１１７は、撮影準備指示の有無を判定する。撮影準備指示は、例えばカメラ操作部１１８に含まれるシャッター釦の半押しがこれに該当し、シャッター釦の半押しによりスイッチＳＷ１がＯＮになると撮影準備処理を実行する。カメラ制御部１１７は、ＳＷ１がＯＮであればステップＳ２０７に処理を進め、ＳＷ１がＯＦＦであればステップＳ２３０に処理を進める。
ステップＳ２０７で、カメラ制御部１１７は、ＡＦを実行し、ライブビュー画像に重畳して合焦結果の表示を行う。このとき、図３の右図に示すように、ライブビュー画像に重畳して、ゾーンＡＦ枠３０１内で決定した焦点検出領域を示すＡＦ枠３０２を表示する。このＡＦ枠を選択ＡＦ枠という。
【００２０】
ステップＳ２０８で、カメラ制御部１１７は、カメラ操作部１１８でのＭＦ操作の有無を判定する。カメラ制御部１１７は、ＭＦ操作が行われていれば、ＡＦ＋ＭＦ機能を実行するためにステップＳ２１６に処理を進め、ＭＦ操作が行われていなければステップＳ２０９に処理を進める。ＭＦ操作としては、例えばフォーカスリングの操作が挙げられるが、これに限られるものではない。
【００２１】
ステップＳ２０９で、カメラ制御部１１７は、再びＳＷ１のＯＮ／ＯＦＦを判定する。カメラ制御部１１７は、ＳＷ１がＯＮであればステップＳ２１０に処理を進め、ＳＷ１がＯＦＦであれば、すなわち撮影準備指示が解除されていればステップＳ２３０に処理を進める。
ステップＳ２１０で、カメラ制御部１１７は、撮影実行指示の有無を判定する。撮影実行指示は、シャッター釦の全押しがこれに該当し、シャッター釦の全押しによりスイッチＳＷ２がＯＮになると撮影実行処理を実行する。カメラ制御部１１７は、ＳＷ２がＯＮであればステップＳ２１１に処理を進め、ＳＷ２がＯＦＦであればステップＳ２０８に処理を戻す。
ステップＳ２１１で、カメラ制御部１１７は、撮影を実施する。
ステップＳ２１２で、カメラ制御部１１７は、画像記録を実施する。
ステップＳ２１３で、カメラ制御部１１７は、撮影画像のビュー表示を実施する。
ステップＳ２１４で、カメラ制御部１１７は、再びライブビュー画像を表示する。
ステップＳ２１５で、カメラ制御部１１７は、ライブビュー画像に重畳してゾーンＡＦ枠３０１を表示する。
【００２２】
ステップＳ２１６で、カメラ制御部１１７は、図４の左図に示すように、ゾーンＡＦ枠３０１を非表示にする。なお、非表示と述べたが、例えばゾーンＡＦ枠３０１を点線等で示すようにしてもよい。
ステップＳ２１７で、カメラ制御部１１７は、図４の左図に示すように、ライブビュー画像に重畳して、ステップＳ２０７において設定した選択ＡＦ枠３０２の位置にフォーカスガイド枠４０１を表示する。本実施形態では、ゾーンＡＦ枠３０１内で初期位置が決定され、後述するように移動可能な焦点検出領域が本発明でいう第２の焦点検出領域に相当する。なお、フォーカスガイド機能による表示として、焦点検出領域を示すフォーカスガイド枠４０１を表示するが、それに加えてフォーカスガイドのための指標等を表示するようにしてもよい。
ステップＳ２１８で、カメラ制御部１１７は、カメラ操作部１１８でのＭＦ操作に応じてフォーカス調整を行う。
【００２３】
ステップＳ２１９で、カメラ制御部１１７は、枠位置指定操作が行われたか否かを判定する。カメラ制御部１１７は、枠位置指定操作が行われていればステップＳ２２０に処理を進め、枠位置指定操作が行われていなければステップＳ２２１に処理を進める。
ステップＳ２２０で、カメラ制御部１１７は、図４に示すように、カメラ操作部１１８での枠位置指定操作に応じて、フォーカスガイド枠４０１を移動させる。このとき、フォーカスガイド枠４０１は、ゾーンＡＦ枠３０１内、すなわち第１の焦点検出領域内で移動可能である。この場合に、フォーカスガイド枠４０１が、ゾーンＡＦ枠３０１を構成するＡＦ枠単位で移動するようにしてもよいし、ゾーンＡＦ枠３０１内の任意の位置に移動できるようにしてもよい。フォーカスガイド枠４０１を移動させる枠位置指定操作が本発明でいう第２の移動操作に相当し、例えばジョイスティックやコントロールリングによる釦操作、タッチパネルのタッチ操作等が挙げられるが、これに限られるものではない。なお、フォーカスガイド枠４０１を移動させる枠位置指定操作は、ゾーンＡＦ枠３０１を移動させる枠位置指定操作と同じ操作としてもよいし、異なる操作としてもよい。タッチ操作によるタッチ＆ドラッグを用いる場合、フォーカスガイド枠４０１をゾーンＡＦ枠３０１内だけで移動させるようにタッチ操作は相対位置指定とする。
【００２４】
ステップＳ２１１で、カメラ制御部１１７は、再びＳＷ１のＯＮ／ＯＦＦを判定する。カメラ制御部１１７は、ＳＷ１がＯＮであればステップＳ２２２に処理を進め、ＳＷ１がＯＦＦであれば、すなわち撮影準備指示が解除されていればステップＳ２２８に処理を進める。
ステップＳ２２２で、カメラ制御部１１７は、ＳＷ２のＯＮ／ＯＦＦを判定する。カメラ制御部１１７は、ＳＷ２がＯＮであればステップＳ２２４に処理を進め、ＳＷ２がＯＦＦであればステップＳ２２３に処理を進める。
ステップＳ２２３で、カメラ制御部１１７は、カメラ操作部１１８でのＭＦ操作の有無を判定する。カメラ制御部１１７は、ＭＦ操作が行われていればステップＳ２１８のＭＦ調整に処理を戻し、ＭＦ操作が行われていなければステップＳ２１９の枠位置指定操作判定に処理を戻す。
【００２５】
ステップＳ２２４〜Ｓ２２７で、カメラ制御部１１７は、ステップＳ２１１〜Ｓ２１４と同様、撮影、画像記録、撮影画像のビュー表示を実施し、再びライブビュー画像を表示する。
ステップＳ２２８で、カメラ制御部１１７は、図５の左図から右図への遷移に示すように、フォーカスガイド枠４０１を非表示にする。
ステップＳ２２９で、カメラ制御部１１７は、再びゾーンＡＦ枠３０１を表示する。このとき、図５の左図から右図への遷移に示すように、ステップＳ２０５において記録した位置にゾーンＡＦ枠３０１を表示する。
ステップＳ２３０で、カメラ制御部１１７は、ライブビュー表示の終了操作の有無を判定する。カメラ制御部１１７は、表示終了操作が行われていれば本処理を終了し、表示終了操作が行われていなければステップＳ２０３に処理を戻す。
【００２６】
以上のように、ＡＦ＋ＭＦ機能にゾーンＡＦを利用する場合に、ゾーンＡＦ枠３０１内で決定した焦点検出領域がユーザの意図に沿わない位置になり、その位置にフォーカスガイド枠４０１が表示されることがある。この場合に、フォーカスガイド枠４０１を移動させることができるので、ユーザの意図に沿った位置でＭＦ操作によるフォーカス調整を行うことが可能になる。
【００２７】
なお、本実施形態では、ステップＳ２２９で、再びゾーンＡＦ枠３０１を表示するときに、ステップＳ２０５において記録した位置にゾーンＡＦ枠３０１を表示するようにしたが、これに限られるものではない。例えば図６の左図から右図への遷移に示すように、フォーカスガイド枠４０１の位置を中心とした位置にゾーンＡＦ枠３０１を表示するようにしてもよい。
【００２８】
［第２の実施形態］
第１の実施形態では、ＡＦ＋ＭＦ機能にゾーンＡＦを利用する場合のＭＦ操作によるフォーカス調整の際に焦点検出領域を移動できるようにした例を説明した。第２の実施形態では、ゾーンＡＦでコンティニュアスＡＦを利用する際に焦点検出領域を移動できるようにする例を説明する。
なお、撮像装置の基本的な構成は第１の実施形態と同様である。以下では、第１の実施形態と共通する構成要素には同一の符号を付してその説明を省略し、第１の実施形態と異なる部分を中心に説明する。
【００２９】
図７は、第２の実施形態に係る撮像装置の撮影モード処理を説明するためのフローチャートである。図７のフローチャートの処理は、第１の実施形態の図２のフローチャートと同様、カメラ制御部１１７が記憶媒体１２０に記録されたプログラムをメモリ１２１に展開して実行することにより実現される。
ステップＳ２０１〜Ｓ２０７は、図２のフローチャートのステップＳ２０１〜Ｓ２０７と同一の処理であり、ここではその説明を省略する。
ステップＳ７０１で、カメラ制御部１１７は、枠位置指定操作が行われたか否かを判定する。カメラ制御部１１７は、枠位置指定操作が行われていればステップＳ７０２に処理を進め、枠位置指定操作が行われていなければステップＳ２１０に処理を進める。
【００３０】
ステップＳ７０２で、カメラ制御部１１７は、コンティニュアスＡＦモードであるか否かを判定する。コンティニュアスＡＦモードは、ゾーンＡＦ枠３０１内で決定した焦点検出領域（選択ＡＦ枠３０２）に対して継続的に合焦し続けるモードである。カメラ制御部１１７は、コンティニュアスＡＦモードであればステップＳ７０３に処理を進め、コンティニュアスＡＦモードでなければステップＳ２１０に処理を進める。
【００３１】
ステップＳ７０３で、カメラ制御部１１７は、カメラ操作部１１８での枠位置指定操作に応じて、選択ＡＦ枠３０２を移動させる。このとき、選択ＡＦ枠３０２は、ゾーンＡＦ枠３０１内で移動可能である。この場合に、選択ＡＦ枠３０２が、ゾーンＡＦ枠３０１を構成するＡＦ枠単位で移動するようにしてもよいし、ゾーンＡＦ枠３０１内の任意の位置に移動できるようにしてもよい。選択ＡＦ枠３０２を移動させる枠位置指定操作が本発明でいう第２の移動操作に相当し、例えばジョイスティックやコントロールリングによる釦操作、タッチパネルのタッチ操作等が挙げられるが、これに限られるものではない。タッチ操作によるタッチ＆ドラッグを用いる場合、選択ＡＦ枠３０２をゾーンＡＦ枠３０１内だけで移動させるようにタッチ操作は相対位置指定とする。
【００３２】
ステップＳ２１０〜Ｓ２１５、ステップＳ２３０は、図２のフローチャートのステップＳ２１０〜Ｓ２１５、ステップＳ２３０と同一の処理であり、ここではその説明を省略する。
【００３３】
以上のように、ゾーンＡＦでコンティニュアスＡＦを利用する場合に、ゾーンＡＦ枠３０１内で決定した焦点検出領域がユーザの意図に沿わない位置になることがある。この場合に、選択ＡＦ枠３０２を移動させることができるので、ユーザの意図に沿った位置でフォーカス調整を行うことが可能になる。
【００３４】
［他の実施形態］
第１の実施形態では、ステップＳ２０８でＭＦ操作が行われた場合にステップＳ２１６に進むようにしたが、枠位置指定操作があった場合にステップＳ２１６に進むようにしてもよい。この場合、ステップＳ２１８の前に、ステップＳ２２０で述べたようなフォーカスガイド枠４０１の移動を行うようにする。
【００３５】
また、実施形態では、撮像素子１１１からフォーカス用信号を得て以降の処理を行うようにしたが、これに限定されるものではなく、本発明は、光学ファインダと共に専用の焦点検出部を設けた撮像装置にも適用可能である。
【００３６】
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
上述した記実施形態ではカメラ制御部１１７が行うものとして説明した各種制御は、１つのハードウェアが行うようにしてもよいし、複数のハードウェア（例えば、複数のプロセッサや回路）が処理を分担することで、装置全体の制御を行うようにしてもよい。
また、本発明は、撮影準備指示を受けて撮影準備処理を実行する撮像装置であれば適用可能である。すなわち、本発明は、デジタルスチルカメラやデジタルビデオカメラだけでなく、撮像機能を有する各種電子機器（タブレット端末、スマートフォン等）に適用可能である。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３７】
１００：レンズユニット、１０１：カメラ本体、１１１：撮像素子、１１３：カメラ信号処理部、１１４：フォーカス信号処理部、１１５：表示部、１１７：カメラ制御部、１２０：記憶媒体、１２１：メモリ、１１８：カメラ操作部
【図１】
2020204673.tif 000003
【図２】
2020204673.tif 000004
【図３】
2020204673.tif 000005
【図４】
2020204673.tif 000006
【図５】
2020204673.tif 000007
【図６】
2020204673.tif 000008
【図７】
2020204673.tif 000009